【手続補正書】
【提出日】令和1年10月23日(2019.10.23)
【手続補正１】
【補正対象書類名】明細書
【補正対象項目名】００５４
【補正方法】変更
【補正の内容】
【００５４】
本開示の幅広い教示内容は種々様々な形で実施することができる。したがって、この開示は具体例を含むが、本開示の真の範囲はそのように限定されるべきではない。それというのも、本明細書及び以下の特許請求の範囲を考察すれば当業者には他の改変が明らかになるからである。本開示における１つの態様又は種々の態様への言及は、実施態様又は具体的なシステムと関連して記載された具体的な特徴、構造、又は特性が少なくとも１つの実施態様又は態様に含まれることを意味する。「１つの態様において」という言い回し（又はその変化形）の出現は、同じ態様又は実施態様を必ずしも参照しない。本開示中で考察された種々の方法ステップは、示されたものと同じ順序で行われる必要はなく、各方法ステップが各態様又は実施態様において必要とされるわけでもない、ということも理解されるべきである。
［構成１］
トランスミッションのためのプラネタリキャリアサブアセンブリであって、前記プラネタリキャリアサブアセンブリが、
粉末金属キャリア部材であって、前記粉末金属キャリア部材から或る距離だけ延びる複数のキャリア脚部を含む、粉末金属キャリア部材と、
粉末金属カバー部材であって、前記粉末金属カバー部材から或る距離だけ延びる複数のカバー脚部を含み、前記キャリア部材と前記カバー部材とが、前記キャリア脚部のそれぞれの端部が前記カバー脚部の端部と整列されるように位置決めされている、粉末金属カバー部材と、
整列された前記キャリア脚部及びカバー脚部のそれぞれの対の間に配置された少なくとも１つのろう付けプリフォームであって、前記ろう付けプリフォームが、ろう付け材料と犠牲バインダとを含み、前記ろう付けプリフォームが、後続の焼結プロセス中にろう付け材料流れを導くように構成されたジオメトリを備えている、少なくとも１つのろう付けプリフォームと、
を含む、プラネタリキャリアサブアセンブリ。
［構成２］
前記整列されたキャリア脚部及びカバー脚部のそれぞれの各対の間に配置されたろう付けプリフォームを含む、構成１に記載のプラネタリキャリアサブアセンブリ。
［構成３］
前記ろう付けプリフォームが単一平面内に整列される、構成２に記載のプラネタリキャリアサブアセンブリ。
［構成４］
互いに接合された、離間された複数のろう付けプリフォームを含むろう付けプリフォーム群を含む、構成１に記載のプラネタリキャリアサブアセンブリ。
［構成５］
前記ろう付けプリフォーム群が、前記ろう付けプリフォーム同士を接合する複数の結合部分を含み、さらに、各ろう付け材料部分が前記カバー脚部及びキャリア脚部のそれぞれの対と整列される、構成４に記載のプラネタリキャリアサブアセンブリ。
［構成６］
前記ろう付けプリフォームのジオメトリが、前記キャリア脚部及び前記カバー脚部のうちの少なくとも１つのジオメトリにほぼ一致する外周を画定している、構成１に記載のプラネタリキャリアサブアセンブリ。
［構成７］
前記ろう付け材料が前記犠牲バインダ内部に封入されており、前記犠牲バインダが、前記キャリア脚部及び前記カバー脚部のうちの少なくとも１つのジオメトリにほぼ一致する外周を画定している、構成６に記載のプラネタリキャリアサブアセンブリ。
［構成８］
前記ろう付け材料の少なくとも一部が、前記キャリア部材又は前記カバー部材と直接に接触した状態で位置決めされている、構成６に記載のプラネタリキャリアサブアセンブリ。
［構成９］
前記犠牲バインダが、前記後続の焼結プロセスの前に前記ろう付けプリフォームを前記サブアセンブリの一部に付着させるように構成されている、構成１に記載のプラネタリキャリアサブアセンブリ。
［構成１０］
前記ろう付け材料が前記犠牲バインダ内部に部分的に封入されている、構成１に記載のプラネタリキャリアサブアセンブリ。
［構成１１］
前記ろう付け材料が前記犠牲バインダ内部に完全に封入されている、構成１に記載のプラネタリキャリアサブアセンブリ。
［構成１２］
前記キャリア部材及びカバー部材のうちの少なくとも一方が、後続の焼結プロセスの前に前記ろう付けプリフォームを受容するように構成された保持特徴を画定している、構成１に記載のプラネタリキャリアサブアセンブリ。
［構成１３］
粉末金属コンポーネントを接合する方法であって、前記方法が、
複数の成形済ろう付けプリフォームを第１の粉末金属コンポーネントのあらかじめ定められたジョイント領域と整列させることであって、各成形済ろう付けプリフォームが、ろう付け材料と犠牲バインダとを含み、かつ、それぞれのあらかじめ定められたジョイント領域の形状に一致するジオメトリを有している、前記複数のろう付けプリフォームを整列させることと、
前記犠牲バインダをそれぞれのあらかじめ定められたジョイント領域に付着させかつ前記ろう付けプリフォームの相対移動を防止するのに充分な圧力を、前記ろう付けプリフォームに加えることと、
前記第１の粉末金属コンポーネントのあらかじめ定められたジョイント領域が第２の粉末金属コンポーネントの対応するジョイント領域と整列されるように、前記第２の粉末金属コンポーネントを前記第１の粉末金属コンポーネントと整列させて、サブアセンブリを形成するようにすることと、
前記犠牲バインダを除去し続いて前記ジョイント領域へろう付け材料流れを導くのに充分な温度まで前記サブアセンブリを加熱することと、
前記あらかじめ定められたジョイント領域にろう付けジョイント部を有する粉末金属アセンブリを形成するために、前記サブアセンブリを焼結することと、
を含む、方法。
［構成１４］
さらに、前記サブアセンブリを加熱する前に余剰の犠牲バインダを除去することを含む、構成１３に記載の方法。
［構成１５］
前記粉末金属コンポーネントの少なくとも１つがろう付け材料保持特徴を画定しており、前記複数のろう付けプリフォームを整列させるステップが、前記ろう付けプリフォームをそれぞれのろう付け材料保持特徴に隣接して配向することを含む、構成１３に記載の方法。
［構成１６］
トランスミッションのためのプラネタリキャリアアセンブリを形成する方法であって、前記方法が、
ろう付けプリフォームを、粉末金属キャリア部材から一体的に延びる複数のキャリア脚部と整列させることであって、前記ろう付けプリフォームがろう付け材料と犠牲バインダとを含む、前記ろう付けプリフォームを整列させることと、
前記粉末金属キャリア部材の前記キャリア脚部のそれぞれの端部と、粉末金属カバー部材から一体的に延びる複数のカバー脚部のそれぞれの端部とが互いに整列されてサブアセンブリを形成するように、前記複数のカバー脚部を前記複数のキャリア脚部と整列させることと、
前記犠牲バインダを除去し続いてあらかじめ定められたジョイント領域へろう付け材料流れを導くのに充分な温度まで前記サブアセンブリを加熱することと、
前記キャリア脚部と前記カバー脚部とのそれぞれの対の間にろう付けジョイント部を有する前記プラネタリキャリアアセンブリを形成するために、前記サブアセンブリを焼結することと、
を含む、方法。
［構成１７］
前記犠牲バインダがワックスを含み、前記ろう付けプリフォームを整列させるステップが、前記サブアセンブリを加熱する前に前記ろう付けプリフォームの相対移動を防止するために、前記キャリア脚部及び前記カバー脚部のうちの少なくとも１つの端部に前記ワックスを付着させるのに充分な圧力を、前記ろう付けプリフォームに加えることを含む、構成１６に記載の方法。
［構成１８］
前記複数のキャリア脚部の各々がろう付け材料保持特徴を画定しており、前記ろう付けプリフォームを整列させるステップが、前記ろう付けプリフォームをそれぞれのろう付け材料保持特徴に隣接して配向することを含む、構成１７に記載の方法。
［構成１９］
前記ろう付けプリフォームが、複数のろう付け材料部分と犠牲バインダとを含むろう付けプリフォーム群として提供され、前記ろう付けプリフォームを整列させるステップが、前記ろう付けプリフォーム群の各ろう付け材料部分をそれぞれのキャリア脚部又はカバー脚部と整列させることを含む、構成１６に記載の方法。
［構成２０］
さらに、前記サブアセンブリを加熱する前に余剰の犠牲バインダを除去することを含む、構成１６に記載の方法。
【手続補正２】
【補正対象書類名】特許請求の範囲
【補正対象項目名】全文
【補正方法】変更
【補正の内容】
【特許請求の範囲】
【請求項１】
トランスミッションのためのプラネタリキャリアサブアセンブリであって、前記プラネタリキャリアサブアセンブリが、
粉末金属キャリア部材であって、前記粉末金属キャリア部材から或る距離だけ延びる複数のキャリア脚部を含む、粉末金属キャリア部材と、
粉末金属カバー部材であって、前記粉末金属カバー部材から或る距離だけ延びる複数のカバー脚部を含み、前記キャリア部材と前記カバー部材とが、前記キャリア脚部のそれぞれの端部が前記カバー脚部の端部と整列されるように位置決めされている、粉末金属カバー部材と、
複数の結合部分に接合された、複数の離間されたろう付けプリフォームを含むろう付けプリフォーム群であって、前記ろう付けプリフォーム群は、整列された前記キャリア脚部及びカバー脚部のそれぞれの対の間に配置され、各ろう付けプリフォームが、ろう付け材料と犠牲バインダとを含み、前記ろう付けプリフォームが、後続の焼結プロセス中にろう付け材料流れを導くように構成されている、少なくとも１つのろう付けプリフォームと、
を含む、プラネタリキャリアサブアセンブリ。
【請求項２】
前記整列されたキャリア脚部及びカバー脚部のそれぞれの各対の間に配置されたろう付けプリフォームを含む、請求項１に記載のプラネタリキャリアサブアセンブリ。
【請求項３】
前記ろう付けプリフォームが単一平面内に整列される、請求項２に記載のプラネタリキャリアサブアセンブリ。
【請求項４】
各ろう付け材料部分が前記カバー脚部及びキャリア脚部のそれぞれの対と整列される、請求項１に記載のプラネタリキャリアサブアセンブリ。
【請求項５】
前記ろう付けプリフォームのジオメトリが、前記キャリア脚部及び前記カバー脚部のうちの少なくとも１つのジオメトリにほぼ一致する外周を画定している、請求項１に記載のプラネタリキャリアサブアセンブリ。
【請求項６】
前記ろう付け材料が前記犠牲バインダ内部に封入されており、前記犠牲バインダが、前記キャリア脚部及び前記カバー脚部のうちの少なくとも１つのジオメトリにほぼ一致する外周を画定している、請求項５に記載のプラネタリキャリアサブアセンブリ。
【請求項７】
前記ろう付け材料の少なくとも一部が、前記キャリア部材又は前記カバー部材と直接に接触した状態で位置決めされている、請求項５に記載のプラネタリキャリアサブアセンブリ。
【請求項８】
前記犠牲バインダが、前記後続の焼結プロセスの前に前記ろう付けプリフォームを前記サブアセンブリの一部に付着させるように構成されている、請求項１に記載のプラネタリキャリアサブアセンブリ。
【請求項９】
前記ろう付け材料が前記犠牲バインダ内部に部分的に封入されている、請求項１に記載のプラネタリキャリアサブアセンブリ。
【請求項１０】
前記ろう付け材料が前記犠牲バインダ内部に完全に封入されている、請求項１に記載のプラネタリキャリアサブアセンブリ。
【請求項１１】
前記キャリア部材及びカバー部材のうちの少なくとも一方が、前記後続の焼結プロセスの前に前記ろう付けプリフォームを受容するように構成された保持特徴部を画定している、請求項１に記載のプラネタリキャリアサブアセンブリ。
【請求項１２】
前記ろう付けプリフォームの前記犠牲バインダがワックスを含む、請求項１に記載のプラネタリキャリアサブアセンブリ。
【請求項１３】
粉末金属コンポーネントを接合する方法であって、前記方法が、
ろう付けプリフォーム群を第１の粉末金属コンポーネントのあらかじめ定められたジョイント領域と整列させることであって、前記ろう付けプリフォーム群が、複数の結合部分に接合された複数の成形済プリフォームを含んでおり、各成形済ろう付けプリフォームが、ろう付け材料と犠牲バインダとを含み、かつ、それぞれのあらかじめ定められたジョイント領域の形状に一致する、ろう付けプリフォーム群を整列させることと、
前記犠牲バインダをそれぞれのあらかじめ定められたジョイント領域に付着させかつ前記ろう付けプリフォームの相対移動を防止するのに充分な圧力を、前記ろう付けプリフォームに加えることと、
前記第１の粉末金属コンポーネントの前記あらかじめ定められたジョイント領域が第２の粉末金属コンポーネントの対応するジョイント領域と整列されるように、前記第２の粉末金属コンポーネントを前記第１の粉末金属コンポーネントと整列させて、サブアセンブリを形成するようにすることと、
前記犠牲バインダを除去し続いて前記ジョイント領域へろう付け材料流れを導くのに充分な温度まで前記サブアセンブリを加熱することと、
前記あらかじめ定められたジョイント領域にろう付けジョイント部を有する粉末金属アセンブリを形成するために、前記サブアセンブリを焼結することと、
を含む、方法。
【請求項１４】
さらに、前記サブアセンブリを加熱する前に余剰の犠牲バインダを除去することを含む、請求項１３に記載の方法。
【請求項１５】
前記粉末金属コンポーネントの少なくとも１つがろう付け材料保持特徴部を画定しており、前記複数のろう付けプリフォームを整列させるステップが、前記ろう付けプリフォームをそれぞれのろう付け材料保持特徴部に隣接して配向することを含む、請求項１３に記載の方法。
【請求項１６】
トランスミッションのためのプラネタリキャリアアセンブリを形成する方法であって、前記方法が、
ろう付けプリフォームを、粉末金属キャリア部材から一体的に延びる複数のキャリア脚部と整列させることであって、前記ろう付けプリフォームがろう付け材料と、ワックスを含む犠牲バインダとを含む、前記ろう付けプリフォームを整列させることと、
前記ワックスを少なくとも１つの前記キャリア脚部の端部に付着させかつ前記ろう付けプリフォームの相対移動を防止するのに充分な圧力を、前記ろう付けプリフォームに加えることと、
前記粉末金属キャリア部材の前記キャリア脚部のそれぞれの端部と、粉末金属カバー部材から一体的に延びる複数のカバー脚部のそれぞれの端部とが互いに整列されてサブアセンブリを形成するように、前記複数のカバー脚部を前記複数のキャリア脚部と整列させることと、
前記犠牲バインダを除去し続いてあらかじめ定められたジョイント領域へろう付け材料流れを導くのに充分な温度まで前記サブアセンブリを加熱することと、
前記キャリア脚部と前記カバー脚部とのそれぞれの対の間にろう付けジョイント部を有する前記プラネタリキャリアアセンブリを形成するために、前記サブアセンブリを焼結することと、
を含む、方法。
【請求項１７】
前記複数のキャリア脚部の各々がろう付け材料保持特徴部を画定しており、前記ろう付けプリフォームを整列させるステップが、前記ろう付けプリフォームをそれぞれのろう付け材料保持特徴部に隣接して配向することを含む、請求項１６に記載の方法。
【請求項１８】
前記ろう付けプリフォームが、複数のろう付け材料部分と犠牲バインダとを含むろう付けプリフォーム群として提供され、前記ろう付けプリフォームを整列させるステップが、前記ろう付けプリフォーム群の各ろう付け材料部分をそれぞれのキャリア脚部又はカバー脚部と整列させることを含む、請求項１６に記載の方法。
【請求項１９】
さらに、前記サブアセンブリを加熱する前に余剰の犠牲バインダを除去することを含む、請求項１６に記載の方法。
【請求項２０】
前記ろう付けプリフォームがワックスを含んでおり、前記ろう付けプリフォームに圧力を加えることが、前記ワックスをそれぞれあらかじめ定められたジョイント領域に付着させかつ前記ろう付けプリフォームの相対移動を防止する、請求項１６に記載の方法。